(57)【要約】【課題】簡便さを保ちつつ、認証の精度をより高くすることが可能な情報処理装置を提供する。【解決手段】検出部２０１は、検出面に入力された使用者生体形状を検出し、その使用者生体形状を示す使用者生体情報を出力する。特定部２０２は、検出面上の使用者生体形状が入力された入力領域を特定し、その入力領域を示す入力領域情報を出力する。記憶部２０３は、登録生体形状を示す登録生体情報と、検出面上の特定の領域を示す登録領域情報とを登録認証情報として記憶する。認証部２０４は、検出部２０１から出力された使用者生体情報、特定部２０２から出力された入力領域情報、および、記憶部２０３に記憶された登録認証情報を用いて、情報処理装置２００の使用者を認証する認証処理を行う。【選択図】図８
2013246567.tif 000002
【特許請求の範囲】
【請求項１】
使用者の生体形状である使用者生体形状が入力される検出面を備え、前記検出面に入力された使用者生体形状を検出し、当該使用者生体形状を示す使用者生体情報を出力する検出部と、
前記検出面上の前記使用者生体形状が入力された入力領域を特定し、当該入力領域を示す入力領域情報を出力する特定部と、
登録生体形状を示す登録生体情報と、前記検出面上の特定の領域を示す登録領域情報とを登録認証情報として記憶する記憶部と、
前記使用者生体情報、前記入力領域情報および前記登録認証情報を用いて、前記使用者を認証する認証処理を行う認証部と、を有する情報処理装置。
【請求項２】
前記検出部は、前記使用者生体情報として、前記検出面全体に対応する対応領域の中に前記使用者生体形状を映した画像を出力し、
前記特定部は、前記画像に基づいて、前記入力領域を特定する、請求項１に記載の情報処理装置。
【請求項３】
前記登録領域情報は、前記検出面を分割する複数の分割領域のいずれかを前記登録領域として示し、
前記特定部は、前記入力領域を、前記検出面を分割する複数の分割領域のいずれかに特定する、請求項１または２に記載の情報処理装置。
【請求項４】
前記認証処理は、前記使用者生体形状が前記登録生体形状と一致するか否かを判断する処理と、前記入力領域が前記特定の領域と一致するか否かを判断する処理とを含む、請求項１ないし３のいずれか１項に記載の情報処理装置。
【請求項５】
前記記憶部は、前記登録認証情報を使用期間ごとに記憶し、
前記認証部は、前記検出部が前記使用者生体形状を検出したときの使用期間に対応した登録認証情報を用いて、前記認証処理を行う、請求項１ないし４のいずれか１項に記載の情報処理装置。
【請求項６】
前記記憶部は、前記登録認証情報を、順序を付けて複数記憶し、
前記認証部は、前記検出部が前記使用者生体形状を検出するたびに、前記順序の早い方から前記登録認証情報を用いて前記認証処理を行っていき、各認証処理の処理結果に基づいて、認証の成功の可否を決定する、請求項１ないし５のいずれか１項に記載の情報処理装置。
【請求項７】
前記特定部は、前記使用者生体情報に基づいて、前記検出面上の前記使用者生体形状の向きである入力向きをさらに特定し、当該入力向きを示す入力向き情報を出力し、
前記記憶部は、前記検出面上の特定の登録向きを示す登録向き情報をさらに前記登録認証情報として記憶し、
前記認証部は、前記入力向き情報、前記使用者生体情報、前記入力領域情報、および、前記登録向き情報を含む前記登録認証情報を用いて、前記認証処理を行う、請求項１ないし６のいずれか１項に記載の情報処理装置。
【請求項８】
前記認証処理は、前記入力向きが前記登録向きと一致するか否かを判断する処理を含む、請求項７に記載の情報処理装置。
【請求項９】
使用者の生体形状である使用者生体形状が入力される検出面と、登録生体形状を示す登録生体情報と前記検出面上の特定の領域を示す登録領域情報とを登録認証情報として記憶する記憶部とを備えた情報処理装置による認証方法であって、
前記検出面に入力された使用者生体形状を検出して、当該使用者生体形状を示す使用者生体情報を出力し、
前記検出面上の前記使用者生体形状が入力された入力領域を特定して、当該入力領域を示す入力領域情報を出力し、
前記使用者生体情報、前記入力領域情報および前記登録認証情報を用いて、前記使用者を認証する認証処理を行う、認証方法。
【請求項１０】
使用者の生体形状である使用者生体形状が入力される検出面と、登録生体形状を示す登録生体情報と前記検出面上の特定の領域を示す登録領域情報とを登録認証情報として記憶する記憶部とに接続されたコンピュータに、
前記検出面に入力された使用者生体形状を検出し、当該使用者生体形状を示す使用者生体情報を出力する手順と、
前記検出面上の前記使用者生体形状が入力された入力領域を特定し、当該入力領域を示す入力領域情報を出力する手順と、
前記使用者生体情報、前記入力領域情報および前記登録認証情報を用いて、前記使用者を認証する認証処理を行う手順と、を実行させるプログラム。
【発明の詳細な説明】
【技術分野】
【０００１】
本発明は、生体情報を用いて使用者を認証する情報処理装置に関する。
【背景技術】
【０００２】
近年、スマートフォンのような電子マネー機能を備えた情報処理装置を用いて、オンラインショッピングサービスや決済サービスなどを利用する人が増加しており、それに伴い、簡易で精度の高いセキュリティ技術が望まれている。
【０００３】
比較的簡単で精度の高いセキュリティ技術としては、顔の形状や指紋のような生体形状を示す生体情報を用いて使用者を認証する生体認証が注目されている。特に、指紋を用いた生体認証である指紋認証は、顔の形状などを用いた他の生体認証と比べて、外光などの外的要因に対する耐性が強く、利便性が高い。
【０００４】
しかしながら、生体認証には、正規の使用者の生体情報が他人にコピーされると、そのコピーを用いて他人が正規の使用者になりすまして認証する、いわゆるなりすまし認証が行われてしまう可能性があるため、精度は十分ではない。
【０００５】
これに対して特許文献１には、登録者の生体情報を記憶する記憶手段と、被認証者の生体情報を読み取る生体情報読取手段とを備え、それらの生体情報と、角度情報とに基づいて、被認証者が登録者か否かを判断する生体情報認証システムが記載されている。
【０００６】
具体的には、特許文献１に記載の生体情報認証システムは、以下の第１の判断処理または第２の判断処理を行う。
【０００７】
第１の判断処理では、生体情報認証システムは、被認証者の生体情報を、別途入力された角度情報に基づいて回転させ、その回転させた生体情報と、登録者の生体情報とが一致していると、被認証者が登録者であると判断する。
【０００８】
また、第２の判断処理では、生体情報認証システムは、被認証者の生体情報を回転させながら、登録者の生体情報と照合していき、被認証者の生体情報と登録者の生体情報とが一致したときの被認証者の生体情報の回転角度と、予め登録されている角度情報が示す角度とが一致すると、被認証者が登録者であると判断する。
【０００９】
以上のように特許文献１に記載の生体情報認証システムでは、正規の使用者である登録者の生体情報を他人がコピーしても、角度情報を把握できないと、なりすまし認証を行うことができない。このため、認証の精度を高くすることが可能になる。
【先行技術文献】
【特許文献】
【００１０】
【特許文献１】特開２０１０−０７９６３３号公報
【発明の概要】
【発明が解決しようとする課題】
【００１１】
しかしながら、特許文献１に記載の生体情報認証システムの第１の判断処理では、被認証者は、生体情報に加えて、角度情報も入力しなければならず、被認証者の手間が増加するという問題がある。
【００１２】
また、特許文献１に記載の生体情報認証システムの第２の判断処理では、被認証者は角度情報も入力しなくてもよいので、被認証者の手間を軽減することができる。
【００１３】
しかしながら、第２の判断処理では、被認証者は、予め登録された角度情報に応じた角度を付けて生体情報を入力しなければならないが、人間の体の構造上、生体情報を読み込ませるのに困難な角度がある。例えば、右手の指の指紋を左向きに入力することは難しい。このため、容易に認証を行うためには、予め登録される角度情報に制限が発生してしまい、認証の精度が十分に得られない可能性がある。
【００１４】
本発明の目的は、簡便さを保ちつつ、認証の精度をより高くすることが可能な情報処理装置、認証方法およびプログラムを提供することである。
【課題を解決するための手段】
【００１５】
本発明による情報処理装置は、使用者の生体形状である使用者生体形状が入力される検出面を備え、前記検出面に入力された使用者生体形状を検出し、当該使用者生体形状を示す使用者生体情報を出力する検出部と、前記検出面上の前記使用者生体形状が入力された入力領域を特定し、当該入力領域を示す入力領域情報を出力する特定部と、登録生体形状を示す登録生体情報と、前記検出面上の特定の領域を示す登録領域情報とを登録認証情報として記憶する記憶部と、前記使用者生体情報、前記入力領域情報および前記登録認証情報を用いて、前記使用者を認証する認証処理を行う認証部と、を有する。
【００１６】
本発明による認証方法は、使用者の生体形状である使用者生体形状が入力される検出面と、登録生体形状を示す登録生体情報と前記検出面上の特定の領域を示す登録領域情報とを登録認証情報として記憶する記憶部とを備えた情報処理装置による認証方法であって、  前記検出面に入力された使用者生体形状を検出して、当該使用者生体形状を示す使用者生体情報を出力し、前記検出面上の前記使用者生体形状が入力された入力領域を特定して、当該入力領域を示す入力領域情報を出力し、前記使用者生体情報、前記入力領域情報および前記登録認証情報を用いて、前記使用者を認証する認証処理を行う。
【００１７】
本発明によるプログラムは、使用者の生体形状である使用者生体形状が入力される検出面と、登録生体形状を示す登録生体情報と前記検出面上の特定の領域を示す登録領域情報とを登録認証情報として記憶する記憶部とに接続されたコンピュータに、前記検出面に入力された使用者生体形状を検出し、当該使用者生体形状を示す使用者生体情報を出力する手順と、前記検出面上の前記使用者生体形状が入力された入力領域を特定し、当該入力領域を示す入力領域情報を出力する手順と、前記使用者生体情報、前記入力領域情報および前記登録認証情報を用いて、前記使用者を認証する認証処理を行う手順と、を実行させる。
【発明の効果】
【００１８】
本発明によれば、簡便さを保ちつつ、認証の精度をより高くすることが可能になる。
【図面の簡単な説明】
【００１９】
【図１】本発明の第１の実施形態の情報処理装置の外観を示す斜視図である。
【図２】本発明の第１の実施形態の情報処理装置の機能的な構成を示すブロック図である。
【図３】入力領域の一例を示す図である。
【図４】本発明の第１の実施形態の情報処理装置の動作の一例を説明するためのフローチャートである。
【図５】入力向きの一例を示す図である。
【図６】本発明の第２の実施形態の情報処理装置の動作の一例を説明するためのフローチャートである。
【図７】本発明の第３の実施形態の情報処理装置の動作の一例を説明するための概念図である。
【図８】本発明の第５の実施形態の情報処理装置の構成を示すブロック図である。
【発明を実施するための形態】
【００２０】
以下、本発明の実施形態について図面を参照して説明する。なお、以下の説明では、同じ機能を有するものには同じ符号を付け、その説明を省略する場合がある。
【００２１】
図１は、本発明の第１の実施形態の情報処理装置の外観を示す斜視図である。図１に示す情報処理装置１００は、検出面１０１を備える。
【００２２】
情報処理装置１００は、例えば、携帯電話機、スマートフォン、ゲーム機、ＰＣ（Personal Computer）またはＰＤＡ（Personal Digital Assistant:携帯情報端末）などである。なお、ＰＣには、タブレット型ＰＣやノート型ＰＣなども含まれる。
【００２３】
検出面１０１は、情報処理装置１００を使用する使用者から、使用者の所定の生体形状が使用者生体形状として入力される面である。
【００２４】
本実施形態では、所定の生体形状は指紋であるとする。また、使用者は、検出面１０１に指を接触または近接させることにより、検出面１０１上の指を接触または近接させた領域に指紋を入力するものとする。なお、使用者が検出面１０１上の異なる複数の領域のそれぞれに指紋を入力できるように、検出面１０１は比較的大きな面積を有するものとする。
【００２５】
図２は、情報処理装置１００の機能的な構成を示すブロック図である。図１において、情報処理装置１００は、指紋センサー１１と、メモリ１２と、ＣＰＵ１３とを有する。
【００２６】
指紋センサー１１は、図１に示した検出面１０１を備える検出部であり、検出面１０１に入力された使用者生体形状（指紋）を検出し、その検出した使用者生体形状を示す使用者生体情報を出力する。本実施形態では、指紋センサー１１は、使用者生体情報として、使用者生体形状を示す指紋画像を出力するものとする。なお、指紋画像は、具体的には、検出面１０１全体に対応する対応領域を有し、その対応領域の中の、入力された位置に使用者生体形状を映した画像である。
【００２７】
なお、指紋センサー１１の動作方式は、特に限定されない。例えば、指紋センサー１１の動作方式は、静電容量方式、感熱方式、電界方式、感圧方式または光学方式などである。
【００２８】
メモリ１２は、記憶部と呼ばれることもある。メモリ１２は、ＣＰＵ１３にて読取可能な記録媒体であり、ＣＰＵ１３の動作を規定するプログラムと、情報処理装置１００の正規の所有者を識別するための登録認証情報を記憶する。
【００２９】
本実施形態では、メモリ１２は、登録認証情報として、所有者の生体形状（指紋）である登録生体形状を示す登録生体情報と、検出面１０１上の特定の領域である登録領域を示す登録領域情報とを記憶する。また、登録領域情報は、指紋センサー１１の検出面１０１を分割する複数の分割領域のいずれかを登録領域として示すものとする。より具体的には、各分割領域には、その分割領域を識別する領域番号が予め定められており、メモリ１２は、登録領域情報として、登録領域の領域番号である登録領域番号を記憶しているものとする。
【００３０】
ＣＰＵ１３は、情報処理装置１００全体を制御する制御部である。具体的には、ＣＰＵ１３は、メモリ１２に記憶されたプログラムを読み取り、その読み取ったプログラムを実行して、以下の機能を有する画像処理部３１および認証処理部３２を実現する。
【００３１】
画像処理部３１は、特定部と呼ばれることもある。画像処理部３１は、指紋センサー１１の検出面１０１上の使用者生体情報が入力された入力領域を特定し、その入力領域を示す入力領域情報を出力する。
【００３２】
具体的には、画像処理部３１は、指紋センサー１１から出力された指紋画像に基づいて、入力領域を分割領域のいずれかに特定する。例えば、画像処理部３１は、指紋画像内の対応領域のうち、指紋が映されている分割領域を入力領域として判定し、その入力領域の領域番号である入力領域番号を入力領域情報として出力する。なお、指紋が映されている領域が複数の分割領域に跨っている場合、画像処理部３１は、例えば、複数の分割領域のうち、指紋が映されている領域と重複する部分の面積が最も大きい分割領域を入力領域として判定する。
【００３３】
図３は、入力領域の一例を示す図である。図３では、検出面１０１が３×３のマトリックス状に配置された９個の分割領域１〜９に分割されており、使用者が指を分割領域９と接触または近接させて、分割領域９に使用者生体情報を入力した状況が示されている。この場合、画像処理部３１は、分割領域９を入力領域として判定し、分割領域９の領域番号を入力領域番号として出力する。なお、図３に示した分割領域は単なる一例であって、分割領域の数、配置および大きさなどは適宜変更可能である。
【００３４】
図２の説明に戻る。画像処理部３１は、指紋センサー１１から出力された指紋画像から、使用者生体情報と登録生体情報との照合に必要な情報である指紋情報を抽出し、その指紋情報を出力する。
【００３５】
指紋情報は、使用者生体情報と登録生体情報との照合を行う照合方式に応じて決定される。例えば、照合がパターンマッチング方式で行われる場合、指紋情報は、指紋画像の中の実際に指紋が映されている領域を切り取った部分画像となる。また、照合がマニューシャ方式で行われる場合、指紋情報は、部分画像内の指紋の特徴点を示す。
【００３６】
認証処理部３２は、画像処理部３１から出力された入力領域番号および指紋情報と、メモリ１２に記憶されている登録認証情報とを用いて、使用者を認証する認証処理を行う。
【００３７】
認証処理は、指紋情報が示す使用者生体形状が、登録認証情報に含まれる登録生体情報が示す登録生体形状と一致するか否かを判断する処理と、入力領域番号の入力領域が、登録認証情報に含まれる登録領域番号の登録領域と一致するか否かを判断する処理とを含む。
【００３８】
認証処理部３２は、認証処理の処理結果に基づいて、認証の成功の可否を判断する。具体的には、使用者生体形状が登録生体形状と一致し、かつ、入力領域が登録領域と一致する場合、認証処理部３２は、認証成功（認証ＯＫ）と判断する。また、使用者生体形状が登録生体形状と一致しないか、または、入力領域が登録領域と一致しない場合、認証処理部３２は、認証失敗（認証ＮＧ）と判断する。
【００３９】
なお、図２で示した情報処理装置１００の構成は単なる一例であって、これに限るものではない。
【００４０】
例えば、メモリ１２が指紋センサー１１に内蔵されていてもよいし、ＣＰＵ１３が指紋センサー１１に内蔵されていてもよい。
【００４１】
また、指紋センサー１１は、使用者生体情報として、指紋画像ではなく、指紋画像から抽出した指紋情報をＣＰＵ１３に出力してもよい。また、指紋センサー１１が入力領域を特定する特定部の機能を備え、その特定した入力領域の領域番号を入力領域情報としてＣＰＵ１３に出力してもよい。
【００４２】
また、特定部は、検出面１０１に接触または近接した指の位置を入力位置として検出し、その入力位置を含む分割領域を入力領域として特定してもよい。なお、このような特定部は、タッチセンサやタッチパネルのようなタッチ式入力装置を用いて構成することができる。
【００４３】
また、入力領域および登録領域は、分割領域のいずれかである必要はない。例えば、指紋センサー１１に含まれる特定部は、入力位置を含む所定の大きさおよび形状を有する領域を入力領域として特定してもよい。この場合、例えば、登録領域情報は、登録領域の基準位置（例えば、中心位置）、大きさおよび形状などで登録領域を示す。そして、認証処理部３２は、登録領域と入力領域とに重複している部分があると、入力領域が登録領域と一致していると判断する。
【００４４】
また、使用者生体形状は、指紋に限らず、使用者を識別可能な生体形状であれば、指紋に限定されない。例えば、使用者生体形状は、掌紋、虹彩または顔の形状などでもよい。
【００４５】
なお、使用者生体形状が虹彩や顔の形状などの場合、情報処理装置１００は、指紋センサー１１の代わりに、例えば、虹彩や顔の形状などを撮像する撮像素子を備える。この場合、検出面は、撮像素子における光が結像する受光面となり、使用者は、情報処理装置１００を動かしたり、自分が移動したりして、使用者と撮像素子との位置関係を変えることで、入力領域を変更することができる。
【００４６】
図４は、情報処理装置１００の動作の一例を説明するためのフローチャートである。以下では、情報処理装置１００は、図２で示した構成を有するものとする。
【００４７】
使用者が指を検出面１０１に接触または近接させることで、検出面１０１に指紋を使用者生体情報として入力すると、情報処理装置１００は、以下の動作を開始する。
【００４８】
先ず、指紋センサー１１は、検出面１０１に入力された使用者生体形状を検出し、その使用者生体形状を示す指紋画像を画像処理部３１に出力する（ステップＳ４０１）。
【００４９】
画像処理部３１は、指紋画像を受け付けると、その指紋画像から指紋情報を抽出し、さらに、指紋画像に基づいて入力領域を特定する。そして、画像処理部３１は、特定した入力領域の領域番号である入力領域番号と指紋情報とを認証処理部３２に出力する（ステップＳ４０２）。
【００５０】
認証処理部３２は、入力領域番号および指紋情報を受け付けると、メモリ１２から登録領域情報である登録領域番号を取得し、入力領域番号が登録領域番号と一致するか否かを判断する（ステップＳ４０３）。
【００５１】
入力領域番号が登録領域番号と一致する場合、認証処理部３２は、メモリ１２から登録生体情報を取得し、指紋情報と登録生体情報とを照合して、使用者生体形状と登録生体形状とが一致するか否かを判断する（ステップＳ４０４）。
【００５２】
使用者生体形状が登録生体形状と一致している場合、認証処理部３２は、認証ＯＫと判断して、処理を終了する。
【００５３】
使用者生体形状が登録生体形状と一致してない場合、および、入力領域番号が登録領域番号と一致しない場合、認証処理部３２は、認証ＮＧと判断して、処理を終了する。
【００５４】
以上説明したように本実施形態によれば、生体情報だけでなく、検出面１０１上の使用者生体形状が入力された入力領域を用いて認証処理が行われるので、認証の精度をより高くすることが可能になる。また、使用者は、使用者生体形状を入力する位置を選択して入力するだけでよいので、煩わしい処理を行う必要がない。このため、簡便さを保ちつつ、認証の精度をより高くすることが可能になる。
【００５５】
また、本実施形態では、指紋画像から入力領域が特定されるので、入力領域を特定するための特別なセンサーなどを設ける必要がなく、コストの増加を抑制することが可能になる。
【００５６】
また、本実施形態では、入力領域は検出面１０１を分割する分割領域のいずれかになるため、使用者は入力領域を容易に覚えることが可能になり、簡便さを向上させることが可能になる。
【００５７】
次に本発明の第２の実施形態について説明する。
【００５８】
本実施形態の情報処理装置は、図１および図２で示した情報処理装置１００と同じ構成を有するが、使用者を認証する認証処理に、検出面１０１上の使用者生体形状の向きである入力向きをさらに用いる点で、第１の実施形態の情報処理装置とは異なる。
【００５９】
具体的には、本実施形態の情報処理装置１００は、以下の機能をさらに備える。
【００６０】
メモリ１２は、登録生体情報および登録領域情報に加えて、検出面１０１上の特定の向きである登録向きを示す登録向き情報をさらに登録認証情報として記憶する。
【００６１】
また、画像処理部３１は、指紋画像に基づいて、入力された使用者生体形状の検出面１０１上の向きである入力向きを特定し、その入力向きを示す入力向き情報を認証処理部３２に出力する。
【００６２】
認証処理部３２は、指紋情報および入力領域情報に加えて、入力向き情報をさらに用いて認証処理を行う。例えば、認証処理部３２は、入力向き情報が示す入力向きが、登録認証情報内の登録向き情報が示す登録向きと一致するか否かを判断する処理をさらに認証処理として行う。
【００６３】
図５は、入力向きの一例を示す図である。図５の例では、検出面１０１は長方形状であり、その短辺に沿った方向をＸ方向、長辺に沿った方向をＹ方向としている。また、Ｘ方向の正の向きを右向き、Ｘ方向の負の向きを左向き、Ｙ方向の正の向きの上向き、Ｙ方向の負の向きを下向きとしている。また、指の根本から指先に向かう向きを使用者生体形状の向きＡとしている。
【００６４】
画像処理部３１は、例えば、指紋画像に基づいて、使用者生体形状の向きである入力向きＡを、上下左右のいずれかに特定する。この場合、図５の例では、画像処理部３１は、入力向きＡを左向きと特定する。また、メモリ１２に記憶された登録向き情報は、上下左右のいずれかを登録向きとして示す。
【００６５】
なお、上記の入力向きおよび登録向きは単なる一例であって、上下左右に限るものではない。
【００６６】
図６は、本実施形態の情報処理装置１００の動作の一例を説明するためのフローチャートである。
【００６７】
先ず、指紋センサー１１は、検出面１０１に入力された使用者生体形状を検出し、その使用者生体形状を示す指紋画像を画像処理部３１に出力する（ステップＳ６０１）。
【００６８】
画像処理部３１は、指紋画像を受け付けると、その指紋画像から指紋情報を抽出し、さらに、指紋画像に基づいて入力領域および入力向きを特定する。そして、画像処理部３１は、入力領域の領域番号である入力領域番号と、入力向きを示す入力向き情報と、指紋情報とを認証処理部３２に出力する（ステップＳ６０２）。
【００６９】
認証処理部３２は、入力領域番号、入力向き情報および指紋情報を受け付けると、メモリ１２から登録領域情報である登録領域番号を取得し、入力領域番号が登録領域番号と一致するか否かを判断する（ステップＳ６０３）。
【００７０】
入力領域番号が登録領域番号と一致する場合、認証処理部３２は、メモリ１２から登録向き情報を取得し、入力向き情報が示す入力向きが、登録向き情報が示す登録向きと一致しているか否かを判断する（ステップＳ６０４）。
【００７１】
入力向きが登録向きと一致する場合、認証処理部３２は、メモリ１２から登録生体情報を取得し、指紋情報と登録生体情報とを照合して、使用者生体形状と登録生体形状とが一致するか否かを判断する（ステップＳ６０５）。
【００７２】
使用者生体形状が登録生体形状と一致している場合、認証処理部３２は、認証ＯＫと判断して、処理を終了する。
【００７３】
使用者生体形状が登録生体形状と一致してない場合、入力向きが登録向きと一致していない場合、および、入力領域番号が登録領域番号と一致しない場合、認証処理部３２は、認証ＮＧと判断して、処理を終了する。
【００７４】
以上説明したように本実施形態によれば、入力領域だけでなく、入力方向も認証処理に使用されるので、認証の精度をより高くすることが可能になる。なお、入力方向が、容易に認証を行うために限定されても、入力領域と組み合わせているので、認証の精度を高くすることが可能になる。また、情報処理装置１００がスマートフォンなどの携帯端末の場合には、情報処理装置１００を回転させることで、入力方向を容易に変えることが可能になるので、入力方向が限定されることはなくなり、精度をより高くすることが可能になる。
【００７５】
次に本発明の第３の実施形態について説明する。
【００７６】
本実施形態の情報処理装置は、図１および図２で示した情報処理装置１００と同じ構成を有するが、認証処理に使用する登録認証情報を、曜日、日時および時間帯などの予め定められた使用期間ごとに変更する点で、第２の実施形態の情報処理装置とは異なる。
【００７７】
具体的には、本実施形態の情報処理装置１００は、以下の機能をさらに備える。
【００７８】
メモリ１２は、登録認証情報を使用期間ごとに記憶する。なお、メモリ１２は、登録認証情報に含まれる各情報（登録生体情報、登録領域情報および登録向き情報）のいずれかのみを使用期間ごとに記憶すればよく、また、登録認証情報ごとに使用期間が異なっていてもよい。
【００７９】
認証処理部３２は、指紋センサー１１が使用者生体形状を検出したときの使用期間に対応した登録認証情報を用いて、認証処理を行う。より具体的には、認証処理部３２は、現在の日時および曜日を計測し、画像処理部３１から指紋情報を受け付けた日時および曜日に応じた使用期間に対応する登録認証情報を用いて、認証処理を行う。
【００８０】
図７は、使用期間ごとに異なる登録認証情報の一例を説明するための図である。図７の例では、曜日ごとに、登録認証情報に含まれる登録領域番号が異なり、時間帯ごとに、登録認証情報に含まれる登録向き情報が異なる。また、登録生体情報は一つだけ記憶されている。
【００８１】
例えば、金曜日の６〜１２時の場合、認証処理部３２は、「５」を示す登録領域番号と、左向きを示す登録向き情報とを用いて、認証処理を行う。
【００８２】
なお、図７で示した使用期間および登録認証情報の対応関係は単なる一例であって、これに限定されない。例えば、メモリ１２は、登録生体情報を使用期間ごとに記憶してもよい。この場合、使用者の複数の指の指紋が認証処理に使用されることになる。
【００８３】
本実施形態によれば、他人が正規の使用者が認証しているところを盗み見た場合でも、時間とともに、正しい入力領域や入力方向が変化するため、他人のなりすまし認証が成功する可能性を低くすることが可能になる。したがって、認証の精度をより高くすることが可能になる。
【００８４】
次に本発明の第４の実施形態について説明する。
【００８５】
本実施形態の情報処理装置は、図１および図２で示した情報処理装置１００と同じ構成を有するが、認証処理を複数回行い、各認証処理の処理結果に基づいて、認証の成功の可否を判断する点で、第２の実施形態の情報処理装置とは異なる。
【００８６】
具体的には、本実施形態の情報処理装置１００は、以下の機能をさらに備える。
【００８７】
メモリ１２は、登録認証情報を、順序を付けて複数記憶する。なお、メモリ１２は、登録認証情報に含まれる各情報のいずれかのみを、順序を付けて複数記憶すればよい。
【００８８】
指紋センサー１１は、使用者生体形状を検出するたびに、その使用者生体形状を示す指紋画像を出力する。
【００８９】
画像処理部３１は、指紋画像を受け付けるたびに、その指紋画像から指紋情報を抽出するとともに、指紋画像に基づいて入力領域および入力向きを特定し、入力領域の領域番号である入力領域番号と、入力向きを示す入力向き情報と、指紋情報とを画像処理部３１出力する。
【００９０】
認証処理部３２は、入力領域番号、入力向き情報および指紋情報を受け付けるたびに、メモリ１２に記憶された登録情報を、順序の早い方から用いて認証処理を行っていき、予め定められた設定回数の認証処理を行うと、各認証処理の処理結果に基づいて、認証の成功の可否を判断する。
【００９１】
例えば、全ての認証処理において、使用者生体形状が登録生体形状と一致し、入力向きが登録向きと一致し、かつ、入力領域番号が登録領域番号と一致した場合、認証処理部３２は、認証ＯＫと判断する。
【００９２】
一方、認証処理のいずれかにおいて、使用者生体形状が登録生体形状と一致しない、入力向きが登録向きと一致しない、または、入力領域番号が登録領域番号と一致しない場合、認証処理部３２は、認証ＮＧと判断する。
【００９３】
本実施形態によれば、異なる登録認証情報を用いて複数回認証が行われるため、認証の精度をより高くすることが可能になる。
【００９４】
次に本発明の第５の実施形態について説明する。
【００９５】
図８は、本実施形態の情報処理装置の構成を示すブロック図である。図８において、情報処理装置２００は、検出部２０１と、特定部２０２と、記憶部２０３と、認証部２０４とを有する。
【００９６】
検出部２０１は、使用者の生体形状である使用者生体形状が入力される検出面を備える。また、検出部２０１は、検出面に入力された使用者生体形状を検出し、その使用者生体形状を示す使用者生体情報を出力する。
【００９７】
特定部２０２は、検出部２０１の検出面上の使用者生体形状が入力された入力領域を特定し、その入力領域を示す入力領域情報を出力する。
【００９８】
記憶部２０３は、登録生体形状を示す登録生体情報と、検出部２０１の検出面上の特定の領域を示す登録領域情報とを登録認証情報として記憶する。
【００９９】
認証部２０４は、検出部２０１から出力された使用者生体情報、特定部２０２から出力された入力領域情報、および、記憶部２０３に記憶された登録認証情報を用いて、情報処理装置２００の使用者を認証する認証処理を行う。
【０１００】
本実施形態でも、第１の実施形態と同様に、生体情報だけでなく、検出面１０１上の使用者生体形状が入力された入力領域を用いて認証処理が行われ、また、使用者は、使用者生体形状を入力する位置を選択して入力するだけでよいので、簡便さを保ちつつ、認証の精度をより高くすることが可能になる。
【０１０１】
以上説明した各実施形態において、図示した構成は単なる一例であって、本発明はその構成に限定されるものではない。
【符号の説明】
【０１０２】
１１      指紋センサー
１２      メモリ
１３      ＣＰＵ
３１      画像処理部
３２      認証処理部
１００、２００    情報処理装置
１０１    検出面
２０１    検出部
２０２    特定部
２０３    記憶部
２０４    認証部
【図１】
2013246567.tif 000003
【図２】
2013246567.tif 000004
【図３】
2013246567.tif 000005
【図４】
2013246567.tif 000006
【図５】
2013246567.tif 000007
【図６】
2013246567.tif 000008
【図７】
2013246567.tif 000009
【図８】
2013246567.tif 000010